(57)【要約】【課題】無線アクセスネットワークの選択を各無線アクセスネットワークに負荷を与えないで無線統合ネットワークを実現する無線端末のセッション制御方法及び無線アクセスネットワークの切り替える際のＩＰ接続を短時間に設定するインターフェース設定方法を提供する。【解決手段】無線統合ネットワーク１０は、異種無線アクセスネットワーク１１と、インターネット１２と、マルチモード無線端末１３とで構成され、異種無線アクセスネットワーク１１は、ＰＨＳネットワーク１１ａ、無線ＬＡＮ１１ｂ、ページングネットワーク１１ｃ、携帯電話ネットワーク１１ｄからなる。インターネット１２にはＣＣＮサーバ１２ａが備えられ、そのサーバ１２ａはセッションに関する情報をページングネットワーク１１ｃを介して無線端末１３に送信する。無線端末１３は、セッション関する情報に基づく通信に適した無線ＩＦ及びアプリケーションを選択しセッションを確立させる。【選択図】        図１
2004266581.tif 000002
【特許請求の範囲】
【請求項１】
複数の異なる無線アクセスネットワークと前記各無線アクセスネットワーク間を接続するインターネットとからなる無線統合ネットワークに使用される無線端末のセッション制御方法において、
前記各無線アクセスネットワークの１つをシグナリング用ネットワークとし、
前記インターネットに、前記無線端末に対する接続要求があった時、その接続に必要なセッションに関する情報を前記シグナリング用ネットワークに送信させるサーバを設け、
前記無線端末には、複数の無線インターフェース及び複数のアプリケーションを設けるとともにエージェント部を設け、
前記エージェント部によって、複数の無線インターフェースの中から前記シグナリング用ネットワークに対応する無線インターフェースを待ち受け状態に保持させて、前記セッションに関する情報を待ち受け状態の無線インターフェースにて受信させるとともに、前記セッションに関する情報に基づいて通信に適したアプリケーション及び無線アクセスネットワークを前記複数のアプリケーション及び複数の無線インターフェースからそれぞれ選択してセッションを確立させるようにしたことを特徴とする無線端末のセッション制御方法。
【請求項２】
請求項１に記載の無線端末のセッション制御方法において、
前記エージェント部は、通信終了時にはセッションを終了し不用になったとき無線インターフェースを自動的にアイドル状態にする機能を備えたことを特徴とする無線端末のセッション制御方法。
【請求項３】
複数の異なる無線アクセスネットワークと前記各無線アクセスネットワーク間を接続するインターネットとからなる無線統合ネットワークのインターフェース設定方法において、
前記各無線アクセスネットワークのアクセスポイントとそれぞれＩＰ接続する各サービスプロバイダのアクセスネットワークサーバに対する仮認証情報を取得するサーバを前記インターネットに配置し、
無線端末には、複数の無線インターフェースを設けるとともにエージェント部を設け、
前記エージェント部によって、無線アクセスネットワークの切り替えを事前に検出し、無線アクセスネットワークの切り替えが行われる前に、その切り替わり先の無線アクセスネットワークに関する情報を前記インターネットに配置されたサーバに送信する段階と、
前記切り替わり先の無線アクセスネットワークに関する情報に基づいて、前記インターネットに配置されたサーバが、その切り替わり先の無線アクセスネットワークのアクセスポイントとＩＰ接続する前記アクセスネットワークサーバを特定し、そのアクセスネットワークサーバに対する仮認証情報を取得し、その仮認証情報とともに、ＩＰ接続に必要な情報を前記エージェント部に送信する段階と、
前記エージェント部が、前記仮認証情報を前記アクセスネットワークサーバに送信してその仮認証情報にて前記アクセスネットワークサーバに対する接続を有効にさせる段階と、
前記アクセスネットワークサーバに対する接続が有効になった時、前記エージェント部が、ＩＰ接続に必要な情報を前記アクセスネットワークサーバに送信してＩＰ接続を行う段階と
からなるインターフェース設定方法。
【発明の詳細な説明】
【０００１】
【発明の属する技術分野】
本発明は無線端末のセッション制御方法及びインターフェース設定方法に関する。
【０００２】
【従来の技術】
例えば、無線ＬＡＮやＰＨＳ等の複数の異なる無線アクセスネットワーク（ＲＡＮ；Ｒａｄｉｏ  Ａｃｃｅｓｓ  Ｎｅｔｗｏｒｋ）を共通コアネットワーク（Ｃｏｍｍｏｎ  Ｃｏｒｅ  Ｎｅｔｗｏｒｋ）で接続して、複数の異なる無線アクセスネットワーク間をシームレスに通信することを可能にする無線統合ネットワーク（Ｍｕｌｔｉｍｅｄｉａ  Ｉｎｔｅｇｒａｔｅｄ  ｎｅｔｗｏｒｋ  ｂｙ  Ｒａｄｉｏ  Ａｃｃｅｓｓ  Ｉｎｎｏｖａｔｉｏｎ）が提案されている（非特許文献１）。
【０００３】
この無線統合ネットワークにおいて、そのアーキテクチャーとして、高機能の共通コアネットワーク、シグナリング用ネットワーク及びソフトウェア無線（ＳＤＲ；Ｓｏｆｔｗａｒｅ  Ｄｅｆｉｎｅｄ  Ｒａｄｉｏ）端末或いはマルチモード無線端末で構成されている。尚、マルチモード無線端末には、複数のインターフェースとアプリケーションが設けてあり、通信する場合には端末を指定するユニークなＩＤ（番号又はＵＲＩなど）を用いている。そして、ソフトウェア無線端末又はマルチモード端末は、位置情報などを共通コアネットワークに送信し、その情報を基に共通コアネットワーク側で無線アクセスネットワークが選択され、選択された無線アクセスネットワーク情報がソフトウェア無線端末又はマルチモード端末に知らされることにより、最適な無線アクセスネットワークに対するシステムがソフトウェア無線端末又はマルチモード端末にダウンロード或いは報知されるようになっている。
【０００４】
つまり、この無線統合ネットワークにおける方式では、無線アクセスネットワーク、セッション、及び、ユーザ情報の管理をコアネットワークで一元的に行うことによって、複数の無線アクセスネットワークが緊密に統合されたシステムを想定している。
【０００５】
【非特許文献１】
Ｇ．Ｗｕ，ｅｔａｌ，”ＭＩＲＡＩ  ａｒｃｈｉｔｅｃｔｕｒｅ  ｆｏｒ  ｈｅｔｅｒｏｇｅｎｅｏｕｓ  ｎｅｔｗｏｒｋｓ”，ＩＥＥＥ  Ｃｏｍｍ．Ｍａｇ．，Ｆｅｂ．２００２
【０００６】
【発明が解決しようとする課題】
しかしながら、実際には、各無線アクセスネットワークは、それぞれのオペレータが管理しており、既存の無線アクセスネットワークを緊密に統合し一元的に管理することは実際上困難である。
【０００７】
つまり、この無線統合ネットワークにおける通信では、セッションを確立する際にセッションに適した無線インターフェース及びアプリケーションを選択する必要がある。特に、端末から発呼する場合には、セッションに関する情報及び使うべき無線アクセスネットワーク並びにアプリケーションとも発呼する側が認識するので、必要なネットワークを選択することができる。しかし、着呼する側の端末は、どのようなタイプのセッションを確立すべきかを予め知ることはできない。従って、全てのネットワークをアクティブにしておくか、又はセッションを確立する以前にメディアセッションに適した無線ネットワークやアプリケーションをネットワーク側で効率よく選択しておく必要がある。その結果、各無線アクセスネットワークが複雑かつ大規模なものとなり実現性に乏しい。
【０００８】
又、セッションを確立した状態で、異なる無線アクセスネットワークへ切り替える場合、前記セッション・パラメータの変更する前に、切り替わる先の無線アクセスネットワークのアクセスポイントとインターネットサービスプロバイダのアクセスネットワークサーバとの間でＩＰ接続が行われる。このＩＰ接続は、短時間に行われなければ、通信が途切れ異なる無線アクセスネットワークへの切り替えができなくなる不都合が生じる。
【０００９】
本発明は、上記問題点を解決するためになされたものであって、無線端末によって各無線アクセスネットワークの選択を行うようにして、各無線アクセスネットワークに負荷を与えないで無線統合ネットワークを実現する無線端末のセッション制御方法を提供することにある。
【００１０】
又、本発明は異なる無線アクセスネットワークへの切り替える際の、ＩＰ接続を短時間に設定することができるインターフェース設定方法を提供することにある。
【００１１】
【課題を解決するための手段】
請求項１に記載の発明は、複数の異なる無線アクセスネットワークと前記各無線アクセスネットワーク間を接続するインターネットとからなる無線統合ネットワークに使用される無線端末のセッション制御方法において、前記各無線アクセスネットワークの１つをシグナリング用ネットワークとし、前記インターネットに、前記無線端末に対する接続要求があった時、その接続に必要なセッションに関する情報を前記シグナリング用ネットワークに送信させるサーバを設け、前記無線端末には、複数の無線インターフェース及び複数のアプリケーションを設けるとともにエージェント部を設け、前記エージェント部によって、複数の無線インターフェースの中から前記シグナリング用ネットワークに対応する無線インターフェースを待ち受け状態に保持させて、前記セッションに関する情報を待ち受け状態の無線インターフェースにて受信させるとともに、前記セッションに関する情報に基づいて通信に適したアプリケーション及び無線アクセスネットワークを前記複数のアプリケーション及び複数の無線インターフェースからそれぞれ選択してセッションを確立させるようにした。
【００１２】
請求項２に記載の発明は、請求項１に記載の無線端末のセッション制御方法において、前記エージェント部は、通信終了時にはセッションを終了し不用になったとき無線インターフェースを自動的にアイドル状態にする機能を備えた。
【００１３】
請求項３に記載の発明は、複数の異なる無線アクセスネットワークと前記各無線アクセスネットワーク間を接続するインターネットとからなる無線統合ネットワークのインターフェース設定方法において、前記各無線アクセスネットワークのアクセスポイントとそれぞれＩＰ接続する各サービスプロバイダのアクセスネットワークサーバに対する仮認証情報を取得するサーバを前記インターネットに配置し、無線端末には、複数の無線インターフェースを設けるとともにエージェント部を設け、前記エージェント部によって、無線アクセスネットワークの切り替えを事前に検出し、無線アクセスネットワークの切り替えが行われる前に、その切り替わり先の無線アクセスネットワークに関する情報を前記インターネットワークに配置されたサーバに送信する段階と、前記切り替わり先の無線アクセスネットワークに関する情報に基づいて、前記インターネットに配置されたサーバが、その切り替わり先の無線アクセスネットワークのアクセスポイントとＩＰ接続する前記アクセスネットワークサーバを特定し、そのアクセスネットワークサーバに対する仮認証情報を取得し、その仮認証情報とともに、ＩＰ接続に必要な情報を前記エージェント部に送信する段階と、前記エージェント部が、前記仮認証情報を前記アクセスネットワークサーバに送信してその仮認証情報にて前記アクセスネットワークサーバに対する接続を有効にさせる段階と、前記アクセスネットワークサーバに対する接続が有効になった時、前記エージェント部が、ＩＰ接続に必要な情報を前記アクセスネットワークサーバに送信してＩＰ接続を行う段階とからなる。
（作用）
請求項１の発明によれば、無線端末に複数の無線インターフェース、複数のアプリケーション及びエージェント部を備え、エージェント部はインターネット上のサーバからのセッションに関する情報をシグナリング用ネットワーク介してするだけで、そのセッションに関する情報に基づく通信に適した無線インターフェース及びアプリケーションを選択しセッションを確立させることができる。つまり、各無線アクセスネットワークに負荷を与えないで無線統合ネットワークを実現することが可能となる。
【００１４】
請求項２に記載の発明によれば、無線端末に備えたエージェント部は、確立したメディアセッションの終了を感知すると、セッションを終了することができる。
【００１５】
請求項３に記載の発明によれば、無線アクセスネットワークが切り替わる前に、切り替わる先の無線アクセスネットワークのアクセスポイントと接続されるアクセネットワークスサーバに対して事前にＩＰ接続のためのインターフェース設定が行われる。従って、無線アクセスネットワークが切り替わる際のＩＰ接続の設定に要する時間を短縮でき、切り替えに基づく切断時間を短縮することができる。
【００１６】
【発明の実施の形態】
次に、本発明を具体化した一実施形態を図面に従って説明する。図１は、本発明を具体化した無線統合ネットワークの概略構成を説明するための説明図である。図１において、無線統合ネットワーク１０は、異種無線アクセスネットワーク（ＲＡＮｓ；Ｒａｄｉｏ  Ａｃｃｅｓｓ  Ｎｅｔｗｏｒｋｓ）１１と、インターネット１２と、マルチモード無線端末（ＭＵＴ；Ｍｕｌｔｉ−ｓｅｒｖｉｃｅ  Ｕｓｅｒ  Ｔｅｒｍｉｎａｌ）１３とで構成されている。異種無線アクセスネットワーク１１は、複数の異なる無線アクセスネットワークから構成されている。本実施形態では、複数の異なる無線アクセスネットワークとしてＰＨＳ（Ｐｅｒｓｏｎａｌ  Ｈａｎｄｙｐｈｏｎｅ  Ｓｙｓｔｅｍ）ネットワーク１１ａ、無線ＬＡＮ（ＷＬＡＮ；Ｗｉｒｅｌｅｓｓ  Ｌｏｃａｌ  Ａｒｅａ  Ｎｅｔｗｏｒｋ）１１ｂ、ページングネットワーク（Ｔｗｏ−ｗａｙ  Ｐａｇｉｎｇ  Ｓｙｓｔｅｍ）１１ｃ、携帯電話ネットワーク１１ｄ等から構成されている。つまり、異種無線アクセスネットワーク１１上において、これら各ネットワーク１１ａ〜１１ｄのサービスエリアが複数混在して構成している。
【００１７】
インターネット１２は、異種無線アクセスネットワーク１１上の各ネットワーク１１ａ〜１１ｄ間を接続するためのネットワークであり、そのインターネット１２上には、インターネットサービスプロバイダ（ＩＳＰ；Ｉｎｔｅｒｎｅｔ  Ｓｅｒｖｉｃｅ  Ｐｒｏｖｉｄｅｒ）１５及びＣＣＮサーバ１２ａが備えられ、各ネットワーク１１ａ〜１１ｄ間の接続を管理している。
【００１８】
マルチモード無線端末１３は、異種無線アクセスネットワーク１１上において、同じネットワーク１１ａ〜１１ｄ内にある他のマルチモード無線端末１３、他のネットワーク１１ａ〜１１ｄ内にある他のマルチモード無線端末１３との間で通信を行う。又、マルチモード無線端末１３は、インターネット１２を介してＩＰ電話等のＩＰ端末１４との間で通信を行う。マルチモード無線端末１３は可搬性の無線端末である。そして、マルチモード無線端末１３は異種無線アクセスネットワーク１１上を移動しながら各ネットワーク１１ａ〜１１ｄ上の他のマルチモード無線端末１３と通信が可能になっている。又、マルチモード無線端末１３は、異種無線アクセスネットワーク１１上を移動しながらインターネット１２を介してＩＰ端末１４と通信が可能になっている。そのため、マルチモード無線端末１３は、後記する前記各ネットワーク１１ａ〜１１ｄに対するそれぞれ無線インターフェース及び複数のアプリケーション並びにこれらを制御するための機能が備えられている。
【００１９】
本実施形態の無線統合ネットワーク１０は、マルチモード無線端末１３が異種無線アクセスネットワーク１１上の各ネットワーク１１ａ〜１１ｄ等を利用できるためのセッション制御のプロトコルとしてＳＩＰ（Ｓｅｓｓｉｏｎ  Ｉｎｉｔｉａｔｉｏｎ  Ｐｒｏｔｏｃｏｌ；セッション開始プロトコル）をベースに行っている。
【００２０】
従って、インターネット１２上に備えたＣＣＮサーバ１２ａにも、ＳＩＰメッセージを転送するためのＳＩＰプロキシ機能及びＳＩＰを特定の無線アクセスネットワーク１１ａ〜１１ｄに転送するためのゲートウェイ機能を備えている。又、前記インターネット１２と接続されるＩＰ端末１４も同様に、マルチモード無線端末１３と通信を行うためにＳＩＰ機能を備えている。
【００２１】
次に、マルチモード無線端末１３の構成を説明する。図２は、マルチモード無線端末１３の構成を説明するためのシステム構成図を示す。
図２において、マルチモード無線端末１３は、インターフェース部２０ａ、アプリケーション部２０ｂ及びエージェント部２０ｃを備えている。
【００２２】
インターフェース部２０ａは、ＰＨＳネットワーク１１ａに対するＰＨＳ用無線インターフェース（第１無線ＩＦ）２１、ページングネットワーク１１ｃに対するポケベル用無線インターフェース（第２無線ＩＦ）２２、無線ＬＡＮ１１ｂに対する無線ＬＡＮ用無線インターフェース（第３無線ＩＦ）２３、携帯電話ネットワーク１１ｄに対するに対する携帯電話用無線インターフェース（第４無線ＩＦ）２４を備えている。
【００２３】
又、アプリケーション部２０ｂは、ネットワークを使って音声データを送受信するための各種のボイスアプリケーション２５、ネットワークを使って画像データを送受信するための各種のビデオアプリケーション２６、ネットワークを使ってメッセージデータを送受信するための各種のメッセージアプリケーション２７等を備えている。
【００２４】
さらに、エージェント部２０ｃは、呼制御部（ＣＣ；Ｃａｌｌ  Ｃｏｎｔｒｏｌｌｅｒ）３１、セッション管理部（ＳＭ；Ｓｅｓｓｉｏｎ  Ｍａｎａｇｅｒ）３２、プロファイル管理部（ＰＭ；Ｐｒｏｆｉｌｅ  ｍａｎａｇｅｒ）３３、リソース管理部（ＲＭ；Ｒｅｓｏｕｒｃｅ  Ｍａｎａｇｅｒ）３４を備えている。
【００２５】
セッション管理部３２は、ＳＩＰ（Ｓｅｓｓｉｏｎ  Ｉｎｉｔｉａｔｉｏｎ  Ｐｒｏｔｏｃｏｌ）プロキシ機能を備え、前記第１〜第４無線ＩＦ２１〜２４から入力されるＳＩＰメッセージ（ＩＮＶＩＴＥ）を解釈しセッション確立に必要なＳＩＰ情報（ＳＩＰ  Ｉｎｆｏｒｍａｔｉｏｎ）を作成し呼制御部３１に送るようになっている。
【００２６】
呼制御部３１は、セッション管理部３２からのセッション確立に必要なＳＩＰ情報に基づいてプロファイル管理部３３及びリソース管理部３４を制御して前記各アプリケーション２５〜２７の選択及び前記第１〜第４無線ＩＦ２１〜２４の選択をするようになっている。
【００２７】
プロファイル管理部３３は、マルチモード無線端末１３にインストールされている前記各アプリケーション２５〜２７に関する情報がデータベースとして格納されている。又、プロファイル管理部３３は、各アプリケーション２５〜２７とインターフェースに対するユーザの好みに関する情報がデータベースとして格納されるようになっている。
【００２８】
リソース管理部３４は、前記第１〜第４無線ＩＦ２１〜２４を制御する管理部であって、前記呼制御部３１からの指示に基づいて第１〜第４無線ＩＦ２１〜２４をアクティブ状態にしたりアイドル状態にしたりするようになっている。又、リソース管理部３４は、第１〜第４無線ＩＦ２１〜２４がアクティブ状態にあるとき、その受信状態（例えば、キャリアの電界強度等）をモニタリングする機能を備えている。
【００２９】
詳述すると、リソース管理部３４は、例えばＰＨＳネットワーク１１ａを使って、即ち第１無線ＩＦ２１を介して通信が行われているとき、同受信状態をモニタリングしている。このとき、マルチモード無線端末１３が該ＰＨＳネットワーク１１ａのサービスエリア外に向かって移動する場合（電界強度が弱くなり通信が切れるおそれがあるとき）、リソース管理部３４は、現在の通信が途切れる前に呼制御部３１に指示する。このとき、リソース管理部３４は、他の無線ＩＦをスタンバイ状態にし、モニタリングを行い、通信が可能な他の無線アクセスネットワークの電界強度を検出して解析するようになっている。そして、通信が可能な無線アクセスネットワークの情報を呼制御部３１に指示するようにしている。
【００３０】
尚、本実施形態では、異種無線アクセスネットワーク１１中で最も広範囲のサービスエリアを持つ、ページングネットワーク１１ｃをシグナリング用無線アクセスネットワーク（チャネル）として用いるようにしている。そのため、マルチモード無線端末１３が待ち受け状態にある場合には、リソース管理部３４は、ページングネットワーク１１ｃに対する第２無線ＩＦ２２のみをアクティブして待ち受け状態にしている。
【００３１】
呼制御部３１、セッション管理部３２等からなるエージェント部２０ｃは、現在の通信が途切れる前に、この情報に基づいて次の移動先の無線アクセスネットワークにおいても通信を可能にするために移動先の無線アクセスネットワークのアクセスポイントとＩＳＰ１５との間での行うインターフェース設定（ＩＰ接続）処理を事前に行うようになっている。
【００３２】
尚、前記ＳＩＰ機能を備えたＩＰ端末１４も同様なエージェント部２０ｃ、インターフェース２０ａ部及びアプリケーショ２０ｂン部を有し、動作も同じなのでその詳細は省略する。尚、ＩＰ端末１４は、ＳＩＰ機能を備えているならば、どんな構成でもよく、図２に示す構成には限定されない。
【００３３】
次に、上記のように構成したマルチモード無線端末１３の動作を、図３に示すマルチモード無線端末１３がセッションを確立して終了するまでのシーケンスチャートに従って説明する。
【００３４】
（セッションの確立）
尚、説明を容易にするため、発呼側をＩＰ端末１４とし、着呼側のマルチモード無線端末１３として説明する。尚、着呼側のマルチモード無線端末１３は、待ち受け状態にあってシグナリング用のチャネルがページングネットワーク１１ｃであるので、第２無線ＩＦ２２のみがアクティブ状態になっている。
【００３５】
今、発呼側のＩＰ端末１４はＳＩＰメッセージ（ＩＮＶＩＴＥ）をインターネット１２に送信する。尚、ＳＩＰメッセージ（ＩＮＶＩＴＥ）に含まれる情報には、例えば、セッションを区別するためのコールＩＤ、メディアパラメータ（ボイスアプリケーション、ビデオアプリケーション、メッセージアプリケーション等）、コーデックの種類がある。インターネット１２に送信されたＳＩＰメッセージ（ＩＮＶＩＴＥ）は、インターネット１２上のＣＣＮサーバ１２ａに転送される。ＣＣＮサーバ１２ａは、該ＳＩＰメッセージ（ＩＮＶＩＴＥ）をシグナリング用のチャネルとしてのページングネットワーク１１ｃを介して着呼側のマルチモード無線端末１３に送信する。
【００３６】
着呼側のマルチモード無線端末１３が第２無線ＩＦ２２を介して該ＳＩＰメッセージ（ＩＮＶＩＴＥ）を取り込むと、該ＳＩＰメッセージ（ＩＮＶＩＴＥ）はセッション管理部３２に送信される。セッション管理部３２は、このＳＩＰメッセージ（ＩＮＶＩＴＥ）に含まれる情報を一旦記憶するとともに解析してセッション確立に必要なＳＩＰ情報（ＳＩＰ  Ｉｎｆｏｒｍａｔｉｏｎ）を作成する。セッション管理部３２が作成したセッション確立に必要なＳＩＰ情報（ＳＩＰ  Ｉｎｆｏｒｍａｔｉｏｎ）は呼制御部３１に転送される。
【００３７】
呼制御部３１は、ＳＩＰ情報（ＳＩＰ  Ｉｎｆｏｒｍａｔｉｏｎ）に基づいてプロファイル管理部３３と通信して用いるアプリケーション２５〜２７を選択するとともに、ユーザの好みに関する情報を取得する。次に、呼制御部３１は、リソース管理部３４に対して選択する第１〜第４無線ＩＦ２１〜２４の選択指示を送るとともに、前記ユーザの好みに関する情報を送る。
【００３８】
リソース管理部３４は、選択指令、ユーザの好みに関する情報、及び、その時の第１〜第４無線ＩＦ２１〜２４の受信状態に基づいて、第１〜第４無線ＩＦ２１〜２４の中から一つ（この場合、第３無線ＩＦ２３）を選択しアクティブ状態にする。アクティブ状態にすると、リソース管理部３４は、選択した無線ＩＦはＩＰアドレスを呼制御部３１に送る。そして、呼制御部３１は、選択した無線ＩＦとアプリケーションの情報（ＩＰアドレスとポート番号）をセッション管理部３２に送る。
【００３９】
セッション管理部３２は、ＳＩＰプロキシとして動作し選択されたアプリケーション２５〜２７に対して前記ＳＩＰメッセージ（ＩＮＶＩＴＥ）を転送する。ＳＩＰメッセージ（ＩＮＶＩＴＥ）を受け取ったアプリケーション２５〜２７は、同ＳＩＰメッセージ（ＩＮＶＩＴＥ）に対する了解した旨のＳＩＰ応答メッセージ（２００  ＯＫ）をセッション管理部３２に返す。
【００４０】
セッション管理部３２は、選択された無線アクセスネットワーク（この場合、無線ＬＡＮ１１ｂ）を介してＳＩＰ応答メッセージ（２００  ＯＫ）を返す。セッション管理部３２から無線ＬＡＮ１１ｂに送信されたＳＩＰ応答メッセージ（２００  ＯＫ）は、インターネット１２上のＣＣＮサーバ１２ａに転送される。ＣＣＮサーバ１２ａは、該ＳＩＰ応答メッセージをインターネット１２を介して発呼側のＩＰ端末１４に送信する。
【００４１】
以降は、発呼側のＩＰ端末１４と着呼側のマルチモード無線端末１３のセッション管理部３２は、ＳＩＰメッセージを、通常にＳＩＰと同様に、ＣＣＮサーバ１２ａを介さずにＩＳＰ１５を介して交換してセッションを確立させる。
【００４２】
（セッションの終了）
セッションを終了するためには、発呼側又は着呼側のどちらかのマルチモード無線端末１３のアプリケーションから、セッション終了のためのＳＩＰメッセージ（ＢＹＥ）が送られる。ＳＩＰのレコードルート（Ｒｅｃｏｒｄ  Ｒｏｕｔｅ）機能を用いることにより、セッション終了のためのＳＩＰメッセージ（ＢＹＥ）は、セッション管理部３２を通る。
【００４３】
セッション管理部３２は、セッション終了のＳＩＰメッセージ（ＢＹＥ）と、そのＳＩＰメッセージ（ＢＹＥ）に対して了解するＳＩＰメッセージ（２００  ＯＫ）を検知すると、呼制御部３１に対してセッション終了を伝える。呼制御部３１は、前記コールＩＤを参照してそのセッションで使用されていた無線ＩＦ（この場合、第３無線ＩＦ２３）をアクティブ状態からアイドル状態にする指示をリソース管理部３４に送る。そして、リソース管理部３４は、第３無線ＩＦ２３をアイドル状態にすると、呼制御部３１にその旨を送信する。呼制御部３１は、セッションが終了された旨を前記プロファイル管理部３３に送信し、セッションが終了された旨を送信する。
【００４４】
これによって、発呼側のＩＰ端末１４と着呼側のマルチモード無線端末１３のセッションが終了される。すなわち、無線インターフェースがアイドル状態になる。
【００４５】
（インターフェース設定）
次に、無線アクセスネットワークの切り替えが必要となる場合、マルチモード無線端末１３が途切れることなく通信を維持するために、切り替わる先の無線アクセスネットワークのアクセスポイントとインターネット１２のＩＳＰ１５のアクセスネットワークサーバとをＩＰ接続するためのインターフェース設定について説明する。
【００４６】
発呼側及び着呼側のマルチモード無線端末１３が互いに通話が行われているとき、発呼側とマルチモード無線端末１３のエージェント部２０ｃは、同通信の受信状態をモニタリングしている。このとき異なる無線アクセスネットワークに切り替わる場合、前記のように、エージェント部２０ｃは、現在の通信が途切れる前にこれを検知する。エージェント部２０ｃは、セッション・パラメータの更新処理の前に、切り替わる先の無線アクセスネットワークのアクセスポイントとＩＳＰ１５にアクセスネットワークサーバとを事前にＩＰ接続するためのインターフェースの設定を行う。
【００４７】
まず、エージェント部２０ｃは、無線端末１３の位置情報と、無線端末１３が利用するＩＰインターフェース、つまり、第１〜第４無線ＩＦ２１〜２４の種類及びそのアドレスを含む移動先情報（切り替わり先の無線アクセスネットワークに関する情報）を、待ち受け状態にある又は現在通信に使用している無線ＩＦを使ってＣＣＮサーバ１２ａに送信する。
【００４８】
ＣＣＮサーバ１２ａは、前記移動先情報に基づいて、切り替わる先の無線アクセスネットワークのアクセスポイントとＩＰ接続するＩＳＰ１５のサーバを特定する。
【００４９】
そして、ＣＣＮサーバ１２ａは、特定したＩＳＰ１５に備えたサーバに対して、事前に前記無線端末１３とインターフェースの設定を可能にするための仮認証情報としてのサービスアドバンスチケットを発行して貰う。このサービスアドバンスチケットは、特定のＩＤとそのＩＤに対するＩＳＰ１５による電子署名により構成される。ＩＰ通信サービスを受けるときに認証してから通信を始めるとサービスの接続に支障をきたすため、ＩＰ接続するとき該アドバンスチケットを送信してネゴシエーションを省略してＩＰ通信を始めることができるようにするものである。そのため、正式な認証は通信中に随時行うことになる。
【００５０】
ＣＣＮサーバ１２ａは、サービスアドバンスチケットを発行して貰うと、ＩＰ接続に必要な情報を前記無線端末１３に送信する。このＩＰ接続に必要な情報には、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）情報、ＰＰＰｏＥ（Ｐｏｉｎｔ  ｔｏ  Ｐｏｉｎｔ  Ｐｒｏｔｏｃｏｌ  ｏｖｅｒ  Ｅｔｈｅｒｎｅｔ（Ｒ））情報、ＰＰＰ（Ｐｏｉｎｔ  ｔｏ  Ｐｏｉｎｔ  Ｐｒｏｔｏｃｏｌ）情報及び前記サービスアドバンススチケットがある。そして、ＤＨＣＰ情報には、ＩＰアドレス、ＩＰサブネットマスク、ブロードキャストアドレス、ＤＮＳ（Ｄｏｍａｉｎ  Ｎａｍｅ  Ｓｙｓｔｅｍ）サーバアドレス、ルータＩＰアドレス、アドレスのリース期間、アドレスを更新する際の申請先アドレスがある。ＰＰＰｏＥ情報には、ＭＡＣ（Ｍｅｄｉａ  Ａｃｃｅｓｓ  Ｃｏｎｔｒｏｌ）アドレスがある。ＰＰＰ情報には、ＬＣＰ（Ｌｉｎｋ  Ｃｏｎｔｒｏｌ  Ｐｒｏｔｏｃｏｌ）情報、ＮＣＰ（Ｎｅｔｗｏｒｋ  Ｃｏｎｔｒｏｌ  Ｐｒｏｔｏｃｏｌ）情報がある。ＣＣＮサーバ１２ａは、このサービスアドバンススチケットを除くＩＰ接続に必要な情報をデータベースに格納され、接続するＩＳＰ１５に応じて所定のインターフェース設定に必要な情報が抽出される。
【００５１】
前記無線端末１３のエージェント部２０ｃは、ＣＣＮサーバ１２ａからインターフェース設定に必要な情報を前記無線端末１３に受信すると、切り替わる先の無線アクセスネットワークのアクセスポイントとＩＰ接続されるＩＳＰ１５のアクセスネットワークサーバに対して前記サービスアドバンススチケットを送信する。尚、無線ＬＡＮ１１ｂのアクセスポイントと接続されるＩＳＰ１５のアクセスネットワークサーバの場合には、無線端末１３はキャリアセンスして通信が可能なとき、サービスアドバンススチケットを送信する。又、携帯電話ネットワーク１１ｄのアクセスポイントと接続されるＩＳＰ１５の場合には、無線端末１３はそのアクセスポイントにダイヤルしてサービスアドバンススチケットを送信する。
【００５２】
サービスアドバンススチケットを受信したＩＳＰ１５のアクセスネットワークサーバは、ＩＳＰ１５においてＣＣＮサーバ１２ａに対して先に発行したサービスアドバンススチケットと認識し、無線端末１３との接続を有効とする。そして、無線端末１３は、前記ＣＣＮサーバ１２ａから送信されたインターフェース設定に必要な情報（サービスアドバンススチケットを除く）を使用してＩＳＰ１５とＩＰ通信を行ってインターフェースの設定を行う。尚、切り替え後の通信中にはＣＨＡＰ（Ｃｈａｌｌｅｎｇｅ  Ｈａｎｄｓｈａｋｅ  Ａｕｔｈｅｎｔｉｃａｔｉｏｎ  Ｐｒｏｔｏｃｏｌ；チャレンジハンドシェイク認証プロトコル）等を使用して再度の認証を行うようになっている。
【００５３】
これによって、切り替わり先の無線アクセスネットワークのアクセスポイントとＩＳＰ１５のアクセスネットワークサーバとのＩＰ接続が、無線アクセスネットワークが切り替わる際に可能な状態となり、通信が途切れることなくセッションの維持・継続を図ることができる。
【００５４】
次に、上記のように構成した実施形態の特徴を以下に説明する。
（１）本実施形態では、マルチモード無線端末１３に呼制御部３１、セッション管理部３２、プロファイル管理部３３、リソース管理部３４を備え、無線ＩＦ２１〜２４とアプリケーション２５〜２７に関する情報を保持管理するようにした。そして、インターネット１２上のＣＣＮサーバ１２ａと連携することによって、通信に利用する無線ＩＦ２１〜２４及びアプリケーション２５〜２７を効率的に選択することができる。
【００５５】
（２）本実施形態では、マルチモード無線端末１３は呼制御部３１、セッション管理部３２、プロファイル管理部３３及びリソース管理部３４において、確立されたセッションに関する情報を保持しており、ＳＩＰの機能と組み合わせることにより、セッション管理部３２が確立したメディアセッションの終了を感知することができる。そして、セッション管理部３２は、呼制御部３１等を介して強制的にＩＰセッションを終了することができる。
【００５６】
（３）本実施形態では、無線ネットワーク１１ａ〜１１ｄの選択を、マルチモード無線端末１３で行うようにした。従って、ネットワーク側で選択を行う場合に比べて、無線ＩＦ及びユーザ情報をネットワークにいちいち送らなくて済むため、シグナリングトラフィックを低減させることができる。
【００５７】
（４）本実施形態では、マルチモード無線端末１３に呼制御部３１、セッション管理部３２、プロファイル管理部３３、リソース管理部３４を備えたので、アプリケーションや無線ＩＦの増減、交換等を伴う変更は、マルチモード無線端末１３側で、即ちユーザ側で簡単に随時行うことができる。
【００５８】
（５）本実施形態では、インターネット１２上にＣＣＮサーバ１２ａを追加するだけなので、既存の無線ネットワーク設備に対する改修、変更は少なくてすむ。
【００５９】
（６）本実施形態では、無線アクセスネットワークが切り替わる前に、切り替わる先の無線アクセスネットワークのアクセスポイントと接続されるＩＳＰ１５のアクセスネットワークサーバに対して事前にＩＰ接続のためのインターフェース設定を行うようにした。従って、無線アクセスネットワークが切り替わる際のＩＰ接続を短時間に設定することができる。切り替えに基づく切断時間を短縮することができる。
【００６０】
尚、本発明の実施形態は、以下のように変更してもよい。
○上記実施形態では、ネゴシエーションを行うのに、シグナリング用ネットワークとして設定しているページングネットワーク１１ｃを介して行ったが、これに限定されるものではなく、そのとき使用されていない無線ネットワークであって、例えばキャリアセンスして通信が可能な無線ネットワークを介して行ってもよい。勿論、切り替え先の無線ネットワークを介して事前にネゴシエーションを行うようにしてもよい。
【００６１】
○上記実施形態では、無線端末としてマルチモード無線端末を用いたが、ソフトウェア無線（ＳＤＲ；Ｓｏｆｔｗａｒｅ  Ｄｅｆｉｎｅｄ  Ｒａｄｉｏ）端末で実施してもよい。
【００６２】
【発明の効果】
以上詳述したように、本発明の無線端末のセッション方法によれば、各無線アクセスネットワークに負荷を与えないで無線統合ネットワークを実現することができる。
【００６３】
又、本発明のインターフェース設定方法によれば、異なる無線アクセスネットワークに切り替える際のＩＰ接続を短時間に設定する。
【図面の簡単な説明】
【図１】本発明を具体化した無線統合ネットワークの概略構成を説明するための説明図。
【図２】マルチモード無線端末の構成を説明するためのシステム構成図。
【図３】マルチモード無線端末がセッションを確立して終了するまでのシーケンスチャート。
【符号の説明】
１０…無線統合ネットワーク
１１…異種無線アクセスネットワーク
１２…インターネット
１３…マルチモード無線端末
１１ａ…ＰＨＳネットワーク
１１ｂ…無線ＬＡＮ（ＷＬＡＮ）
１１ｃ…シグナリング用ネットワークとしてのページングネットワーク
１２ａ…ＣＣＮサーバ
２０ａ…インターフェース部
２０ｂ…アプリケーション部
２０ｃ…エージェント部
２１…ＰＨＳ用無線インターフェース（第１無線ＩＦ）
２２…ページング用無線インターフェース（第２無線ＩＦ）
２３…無線ＬＡＮ用無線インターフェース（第３無線ＩＦ）
２４…携帯電話用無線インターフェース（第４無線ＩＦ）
２５…ボイスアプリケーション
２６…ビデオアプリケーション
２７…メッセージアプリケーション
３１…呼制御部
３２…セッション管理部
３３…プロファイル管理部
３４…リソース管理部
【図１】
2004266581.tif 000003
【図２】
2004266581.tif 000004
【図３】
2004266581.tif 000005